(57)【要約】【課題】ワックスを用いて鼻毛を抜くのに好適な鼻毛用脱毛具、該鼻毛用脱毛具を利用する携帯容易な鼻毛用脱毛セット、及び該鼻毛用脱毛セットによる鼻該毛脱毛方法を提供すること。【解決手段】鼻毛用脱毛具１０は、一軸方向を長手方向とする棒状部材であり、長手方向に交差する方向に延びる少なくとも１つの凸部又は凹部が表面に形成されたワックス保持部１２及びワックス保持部１６の基端に接続する支持部１６を備える。鼻毛用脱毛具１０により、液化したワックスをワックス保持部に保持し、手指で支持部１６を支持して、ワックス保持部を鼻腔内に挿入し、ワックスが固化した後、ワックス保持部を鼻腔から引き抜くことで鼻毛を抜く。このとき、ワックス保持部に保持されたワックスが固化して凸部又は凹部に係止されることで、固化したワックスがワックス保持部から抜けて鼻腔内に残ることなく、固化したワックスをワックス保持部とともに鼻腔から引き抜くことができる。【選択図】図１
2017060708.tif 000002
【特許請求の範囲】
【請求項１】
ワックスを用いて鼻毛を抜くための鼻毛用脱毛具であって、
一軸方向を長手方向とする棒状部材であり、前記長手方向に交差する方向に延びる少なくとも１つの凸部又は凹部が表面に形成されたワックス保持部と、
前記ワックス保持部の基端に接続する支持部と、
を備えることを特徴とする、鼻毛用脱毛具。
【請求項２】
前記凸部又は凹部は、前記ワックス保持部の表面に長手方向に複数並設されることを特徴とする、請求項１に記載の鼻毛用脱毛具。
【請求項３】
前記ワックス保持部は、前記基端に対して幅の大きい先端を有することを特徴とする、請求項１又は２に記載の鼻毛用脱毛具。
【請求項４】
前記ワックス保持部の基端に設けられる該基端より大径の挿入防止部をさらに備え、
前記支持部は、前記挿入防止部を介して前記ワックス保持部の基端に接続することを特徴とする、請求項１〜３のいずれか一項に記載の鼻毛用脱毛具。
【請求項５】
前記挿入防止部の径が１０ｍｍ以上であり、
前記ワックス保持部の長さが５〜２０ｍｍであることを特徴とする、請求項４に記載の鼻毛用脱毛具。
【請求項６】
請求項１から５のいずれか一項に記載の鼻毛用脱毛具と、
固化して外径１５ｍｍ以下の粒体とした固形ワックスと、
前記固形ワックスを湯煎して液化するための湯煎用容器と、
を備えることを特徴とする、鼻毛用脱毛セット。
【請求項７】
前記湯煎用容器は、２回分の前記固形ワックスを入れ、前記固形ワックスの最上部の高さまでを５５℃の湯に浸した時に、湯に沈むだけの重量を有することを特徴とする、請求項６に記載の鼻毛用脱毛セット。
【請求項８】
請求項６又は７に記載の鼻毛用脱毛セットを用いて鼻毛を抜く鼻毛脱毛方法であって、
前記湯煎用容器に２回分の固形ワックスを入れ、湯煎して前記固形ワックスを液化することと、
前記固形ワックスを液化して得られるワックスのうちの１回分の量のワックスを、前記鼻毛用脱毛具のワックス保持部に保持し、前記ワックス保持部を鼻腔内に挿入し、前記ワックスが固化した後、前記ワックス保持部を鼻腔から引き抜くことと、
を含むことを特徴とする、鼻毛脱毛方法。
【発明の詳細な説明】
【技術分野】
【０００１】
本発明は、ワックスを用いて鼻毛を抜くための鼻毛用脱毛具、該鼻毛用脱毛具を備える鼻毛用脱毛セット、及び該鼻毛用脱毛セットを用いて鼻毛を抜く鼻毛脱毛方法に関する。
【背景技術】
【０００２】
美容の目的で、鼻腔内、特に鼻孔近傍の鼻毛を処理する習慣がある。鼻毛切り鋏を鼻腔内に挿入して鼻毛を切断することが多いが、刃物を鼻腔内に挿入するため、鼻腔内の皮膚を傷つけるおそれがある。この点、例えば特許文献１には、鼻腔内の形状に合わせて湾曲する刃を有するニッパ式鼻毛切り器が開示されている。このニッパ式鼻毛切り器によれば、２つの刃が鼻腔内の形状に合わせて湾曲していることで鼻粘膜を傷付けることなく鼻毛を切り、その切った鼻毛を飛散することなく回収することが可能となる。
【０００３】
一方で、ノーズワックス（「ブラジリアンワックス」とも呼ばれる。以下、単にワックスと呼ぶ。）を用いた鼻毛のワックス脱毛法が注目されている。この方法では、鼻腔内に温めたワックスを入れ、ワックスが固化した後、引き抜くことで鼻腔内の鼻毛を抜くことができる。刃物を鼻腔内に挿入しない点で鼻毛切り鋏（器）を用いるよりも安全であるが、引き抜く際の鼻腔内粘膜の損傷、ワックスが鼻腔内に残存してしまうことによる化学的影響等の問題がある。このため、個人使用は普及しておらず、専門家による施術となることが多かった。
【０００４】
ワックスを用いて脱毛を行う場合には、（１）ワックスに十分な軟性を持たせるためにワックスを予温すること、（２）鼻腔の大きさに合わせてワックスをスティック（「へら」と呼ばれることが多い。以下「鼻毛用脱毛具」と呼ぶ。）に載置すること、（３）鼻毛用脱毛具を鼻腔に適切に挿入すること、（４）ワックスが鼻腔内に残存してしまうことのないように鼻毛用脱毛具とワックスとを引き抜くこと、が必要である。
【０００５】
上記（１）について、例えば特許文献２には、温度制御器を備えたワックスヒーターが開示されている。しかし、大型の器具となり、例えば旅行において持参することに適さない。
【０００６】
非特許文献１に開示されたように、湯煎によってワックスを軟化させることも可能である。してみれば、旅先のホテルに常備される湯沸かし器及びコーヒーカップを用いて湯煎することによっても鼻毛ワックスを使用できるが、かかる使用のための湯煎用容器を含む鼻毛用脱毛セットは知られていなかった。
【０００７】
上記（２）について、従来は多くの鼻毛用脱毛具が木製で平板のへらであった。このため、鼻腔の形状に合わせてワックスを載置することが容易ではなかった。この点、非特許文献２には、円盤部とその中心から伸びる円柱部を有するスティックが開示されている。鼻腔の形状に合わせてワックスを載置できるものである。
【０００８】
上記（３）について、平板のへらでは、鼻腔の入り口から１０ｍｍ程度の範囲の鼻毛を脱毛することで美容目的には十分であるにもかかわらず、鼻腔内への挿入が深すぎてしまうおそれがあった。この点、非特許文献２に開示されたスティックは、円盤部の径を大きくすることで、鼻腔内への過剰な挿入を防止することが可能である。
【０００９】
上記（４）について、非特許文献２に開示されたスティックは、鼻毛用脱毛具を鼻腔から引き抜く際に、円柱部がワックスから抜けてしまい、ワックスが鼻腔内に残存してしまう可能性があった。平板のへらであればワックスが鼻腔内に残存してしまう可能性は小さいが、残存を確実に防止できるものではない。
【先行技術文献】
【特許文献】
【００１０】
【特許文献１】特開２００６−０１４７９８号公報
【特許文献２】特開２００９−０６１０７８号公報
【非特許文献】
【００１１】
【非特許文献１】男のブラジリアンワックス脱毛のやり方：http://wax-datumou.jugem.jp/
【非特許文献２】サボテンノーズワックススターターセット：http://www.torico.co.jp/product/face/saboten/
【発明の概要】
【発明が解決しようとする課題】
【００１２】
本発明は、ワックスを用いて鼻毛を抜くのに好適な鼻毛用脱毛具、該鼻毛用脱毛具を利用する携帯容易な鼻毛用脱毛セット、及び該鼻毛用脱毛セットによる鼻該毛脱毛方法を提供することを課題とする。
【課題を解決するための手段】
【００１３】
本発明の鼻毛用脱毛具は、
ワックスを用いて鼻毛を抜くための鼻毛用脱毛具であって、
一軸方向を長手方向とする棒状部材であり、前記長手方向に交差する方向に延びる少なくとも１つの凸部又は凹部が表面に形成されたワックス保持部と、
前記ワックス保持部の基端に接続する支持部と、
を備えることを特徴とする。
【００１４】
この特徴によれば、鼻毛用脱毛具により、液化したワックスをワックス保持部に保持し、手指で支持部を支持して、ワックス保持部を鼻腔内に挿入し、ワックスが固化した後、ワックス保持部を鼻腔から引き抜くことで鼻毛を抜く。ここで、ワックス保持部の表面に長手方向に交差する方向に延びる少なくとも１つの凸部又は凹部が形成されている。それにより、ワックス保持部に保持されたワックスが固化して凸部又は凹部に係止されることで、固化したワックスがワックス保持部から抜けて鼻腔内に残ることなく、固化したワックスをワックス保持部とともに鼻腔から引き抜くことができる。
【００１５】
本発明の鼻毛用脱毛具は、
前記凸部又は凹部は、前記ワックス保持部の表面に長手方向に複数並設されることを特徴とする。
【００１６】
この特徴によれば、凸部又は凹部がワックス保持部の表面に長手方向に複数並設されていることで、ワックス保持部により、固化したワックスをより強く係止することができる。
【００１７】
本発明の鼻毛用脱毛具は、
前記ワックス保持部は、前記基端に対して幅の大きい先端を有することを特徴とする。
【００１８】
この特徴によれば、ワックス保持部の先端の幅が基端の幅に対して大きいことで、ワックスが固化した際に凸部又は凹部に十分に係止されない場合にも、ワックス保持部の先端によって鼻腔から引き抜かれる。
【００１９】
本発明の鼻毛用脱毛具は、
前記ワックス保持部の基端に設けられる該基端より大径の挿入防止部をさらに備え、
前記支持部は、前記挿入防止部を介して前記ワックス保持部の基端に接続することを特徴とする。
【００２０】
この特徴によれば、ワックス保持部の基端にその基端より大径の挿入防止部が設けられていることで、ワックス保持部を鼻腔内に挿入する際、挿入防止部が鼻孔縁に当接することで、ワックス保持部が鼻腔内に奥深く挿入されるのを防ぐことができる。
【００２１】
本発明の鼻毛用脱毛具は、
前記挿入防止部の径が１０ｍｍ以上であり、
前記ワックス保持部の長さが５〜２０ｍｍであることを特徴とする。
【００２２】
この特徴によれば、人間の鼻腔の大きさに合わせた鼻毛用脱毛具が提供される。
【００２３】
本発明の鼻毛用脱毛セットは、
上述の鼻毛用脱毛具と、
前記ワックスを固化して外径１５ｍｍ以下の粒体とした固形ワックスと、
前記固形ワックスを湯煎して液化するための湯煎用容器と、
を備えることを特徴とする。
【００２４】
この特徴によれば、固形ワックスを湯煎用容器に入れて湯煎することで固形ワックスを軟化し、軟化したワックスを鼻毛用脱毛具のワックス保持部に載置して保持することで、その鼻毛用脱毛具を用いて鼻毛を抜くことができる。固形ワックスは、外径１５ｍｍ以下の粒体であり、必要量だけを湯煎用容器に入れて、湯煎により短時間で軟化させることができる。鼻毛用脱毛具、固形ワックス及び湯煎用容器のいずれも小型のものとすることができ、携帯容易にできる。
【００２５】
本発明の鼻毛用脱毛セットは、
前記湯煎用容器は、２回分の前記ノーズワックスを入れ、ノーズワックスの最上部の高さまでを５５℃の湯に浸した時に、湯に沈むだけの重量を有することを特徴とする。
【００２６】
この特徴によれば、左右両方の鼻腔の鼻毛を脱毛するときに、湯煎用容器が浮力によって浮いてしまうことがなく、確実に湯煎をすることができる。また、湯に沈む湯煎用容器の中のワックスを鼻毛用脱毛具にからめることが、湯煎用容器に触れずに可能であり、火傷のリスクが小さく安全である。
【００２７】
本発明の鼻毛脱毛方法は、
上述の鼻毛用脱毛セットを用いて鼻毛を抜く鼻毛脱毛方法であって、
前記湯煎用容器に２回分の固形ワックスを入れ、湯煎して前記固形ワックスを液化することと、
前記固形ワックスを液化して得られるワックスのうちの１回分の量のワックスを、前記鼻毛用脱毛具のワックス保持部に保持し、前記ワックス保持部を鼻腔内に挿入し、前記ワックスが固化した後、前記ワックス保持部を鼻腔から引き抜くことと、
を含むことを特徴とする。
【００２８】
この特徴により、湯煎用容器を用いて固形ワックスを湯煎して液化し、１回分の量のワックスをワックス保持部に保持し、ワックス保持部を鼻腔内に挿入する。鼻腔内の鼻毛は、ワックスに付着して脆くなり、ワックスが固化することでワックスに固定される。その状態でワックス保持部を鼻腔から引き抜くことで、鼻腔内の鼻毛を抜くことができる。さらに、湯煎用容器を用いて２回分の固形ワックスを液化することで、これを左右の鼻腔のそれぞれについてすることにより両鼻腔内の鼻毛を抜くことができる。
【発明の効果】
【００２９】
本発明の鼻毛用脱毛具、鼻毛用脱毛セット、及び鼻毛脱毛方法によれば、容易に自力で鼻毛を抜くことが可能となる。
【図面の簡単な説明】
【００３０】
【図１】図１は、鼻毛用脱毛具の構成を示す図である。
【図２】図２は、鼻毛用脱毛セット及びその使用方法を説明するための図である。
【発明を実施するための形態】
【００３１】
本発明の一実施形態について説明する。
【００３２】
図１に、本実施形態に係る鼻毛用脱毛具１０の構成を示す。鼻毛用脱毛具１０は、ノーズワックス（ブラジリアンワックスとも呼ぶが、ここでは単にワックスと呼ぶ）を用いて鼻毛を抜くための脱毛具であり、ワックス保持部１２、挿入防止部１４、及び支持部１６を含んで構成される。これらの部分は、例えば樹脂を用いて一体的に成形される。
【００３３】
ワックス保持部１２は、ワックスを保持する部分であり、一例として、図面縦方向を長手方向とする棒状部材である。長手の長さは例えば１２ｍｍである。鼻腔に挿入される深さに鑑み、長手の長さ５〜２０ｍｍとすることが好ましい。ワックス保持部１２は、基端に対して幅の大きい先端を有するようにするとよい。それにより、ワックス保持部１２に保持されるワックスが、確実にワックス保持部１に固定される。
【００３４】
ワックス保持部１２の胴部の表面には、少なくとも１つ、ここでは一例として６つの凸部１２ａが形成されている。６つの凸部１２ａのそれぞれは、ワックス保持部１２の周方向に延びて円環状をなし、一定間隔で軸方向に並設されている。それにより、ワックス保持部１２に保持されるワックスは、６つの凸部１２ａの間隙内を埋めて固化することで、ワックス保持部１２により強く係止される。
【００３５】
なお、本実施形態では、６つの凸部１２ａをワックス保持部１２の胴部の表面に並設することとしたが、凸部に代えて凹部（或いは溝部）であってもよい。係る場合、ワックス保持部１２に保持されるワックスは、複数の凹部内を埋めて固化することで、ワックス保持部１２により強く係止される。
【００３６】
挿入防止部１４は、ワックス保持部１２が鼻腔内に奥深く挿入されるのを防ぐ部分であり、ワックス保持部１２の基端より大径（例えば１５ｍｍ）の円板形状を有する。鼻腔への挿入を確実に防止するため、挿入防止部１４の径は１０ｍｍ以上とすべきである。挿入防止部１４は、その一面の中心で、ワックス保持部１２の基端を接続する。ワックス保持部１２を鼻腔内に挿入する際、挿入防止部１４が鼻孔縁に当接することで、鼻腔内の奥深くに挿入されるのが防止される。
【００３７】
支持部１６は、ユーザが手指で支持して鼻毛用脱毛具１０を操作するための部分であり、図面縦方向を長手とする円柱形状を有する。その長さは、例えば６０ｍｍである。支持部１６は、挿入防止部１４を介して、その一端をワックス保持部１２の基端に接続する。
【００３８】
図２（Ａ）に、本実施形態に係る鼻毛用脱毛セット１００を示す。鼻毛用脱毛セット１００は、先述の鼻毛用脱毛具１０、固形ワックス２０、及び湯煎用容器３２を備える。
【００３９】
鼻毛用脱毛具１０の詳細は先述のとおりである。
【００４０】
固形ワックス２０は、ワックスを粒状に固化したものである。粒の径は適宜に設計できるが、袋に入れて携帯することと、湯煎により軟化する所要時間とを勘案し、１５ｍｍ以下であることが好ましい。
【００４１】
貯湯容器３０は、湯煎用の湯を入れる容器である。
【００４２】
本実施形態の鼻毛用脱毛セット１００の使用方法について説明する。
【００４３】
まず、湯煎用容器３２に２回分の固形ワックス２０を入れる。軟化してワックス保持部１２に載置される量の２倍の量であり、２ｃｍ３程度である。
【００４４】
次に、貯湯容器３０内に適量の湯を入れ、その中に湯煎用容器３２を沈める。このとき、本体３０ｂ内の湯のレベルは、湯煎用容器３２内の固形ワックス２０より上にある。図２（Ｃ）に示すように、給湯線３４までの湯を入れるが、固形ワックス２０が給湯線３４よりも下にあるので、湯温が湯煎用容器３２を介して固形ワックス２０に伝わり、固形ワックス２０が軟化する。給湯線３４を高く（湯量を多く）すれば固形ワックス２０の軟化が確実となるが、一方湯煎用容器３２に働く浮力が大きくなるので、湯煎用容器３２が浮いてしまわない範囲の湯量とする。
【００４５】
湯の温度は、固形ワックス２０が軟化する温度よりも高音であればよい。多くのワックスは５５℃で軟化するので、５５℃以上であればよい。短時間で軟化させるために高温とすることもできる。なお、湯煎用容器３２に働く浮力は湯音が低音の場合のほうが大きいので、湯煎用容器３２には、５５℃の湯を固形ワックス２０の最上部の高さまで給湯しても浮かないだけの重量が必要である。
【００４６】
次に、ユーザが自身の手指で支持部１６を支持して鼻毛用脱毛具１０を操作し、ワックス保持部１２を、固形ワックス２０を液化して得られた液状のワックスに浸し、図２（Ｂ）に示すように１回分の量のワックス２０ａをワックス保持部１２にからめて保持する。図１における挿入防止部１４の上方に、ワックス保持部１２の長さの高さで、略円錐形にからめられる。
【００４７】
次に、ワックス２０ａを保持したワックス保持部１２を一方の鼻腔内に挿入する。鼻腔内の鼻毛は、ワックス２０ａに付着して脆くなり、ワックス２０ａが固化することでワックス２０ａに固定される。ワックス２０ａが固化した後、手指で支持部１６を引いてワックス保持部１２を鼻腔から引き抜く。ここで、ワックス保持部１２に保持されたワックス２０ａが固化して６つの凸部１２ａに強く係止されることで、固化したワックス２０ａがワックス保持部１２から抜けて鼻腔内に残ることなく、固化したワックス２０ａがワックス保持部１２とともに鼻腔から引き抜かれる。それにより、鼻腔内の鼻毛を抜くことができる。
【００４８】
一連の手順を他方の鼻腔について繰り返すことで、２つの鼻腔のそれぞれについて鼻毛を抜くことができる。
【００４９】
以上詳細に説明したように、本実施形態の鼻毛用脱毛具１０は、一軸方向を長手方向とする棒状部材であり、長手方向に交差する方向に延びる少なくとも１つの凸部又は凹部が表面に形成されたワックス保持部１２及びワックス保持部１２の基端に接続する支持部１６を備える。鼻毛用脱毛具１０により、液化したワックスをワックス保持部１２に保持し、手指で支持部１６を支持して、ワックス保持部１２を鼻腔内に挿入し、ワックスが固化した後、ワックス保持部１２を鼻腔から引き抜くことで鼻毛を抜く。ここで、ワックス保持部１２の表面に長手方向に交差する方向に延びる少なくとも１つの凸部又は凹部が形成されている。それにより、ワックス保持部１２に保持されたワックスが固化して凸部又は凹部に係止されることで、固化したワックスがワックス保持部１２から抜けて鼻腔内に残ることなく、固化したワックスをワックス保持部１２とともに鼻腔から引き抜くことができる。
【００５０】
また、本実施形態の鼻毛用脱毛セットは、上述の鼻毛用脱毛具１０、ワックスを固化した固形ワックス２０、及び固形ワックス２０を湯煎して液化するための湯煎用容器３２を備える。固形ワックス２０を湯煎用容器３２に入れて湯煎することで固形ワックス２０を液化し、液化したワックスを鼻毛用脱毛具１０のワックス保持部１２に保持することで、その鼻毛用脱毛具１０を用いて鼻毛を抜くことができる。
【００５１】
また、本実施形態の鼻毛脱毛方法は、湯煎用容器３２に２回分の固形ワックス２０を入れ、湯煎して固形ワックス２０を液化すること、及び固形ワックス２０を液化して得られるワックスのうちの１回分の量のワックスを、鼻毛用脱毛具１０のワックス保持部１２に保持し、ワックス保持部１２を鼻腔内に挿入し、ワックス２０ａが固化した後、ワックス保持部１２を鼻腔から引き抜くことを含む。これにより、湯煎用容器３２を用いて固形ワックス２０を湯煎して液化し、１回分の量のワックス２０ａをワックス保持部１２に保持し、ワックス保持部１２を鼻腔内に挿入する。鼻腔内の鼻毛は、ワックス２０ａに付着して脆くなり、ワックス２０ａが固化することでワックス２０ａに固定される。その状態でワックス保持部１２を鼻腔から引き抜くことで、鼻腔内の鼻毛を抜くことができる。また、湯煎用容器３２を用いて２回分の固形ワックス２０を液化することで、これを左右の鼻腔のそれぞれについてすることにより両鼻腔内の鼻毛を抜くことができる。
【００５２】
なお、本実施形態のワックス保持部１２は、その周方向に延びて円環状に形成された６つの凸部１２ａを有するが、これら凸部１２ａは、周方向の一部に形成されることとしてもよい。つまり、ワックス保持部１２の胴部の表面に、その長手方向に交差する方向に延びる凸部が１つ設けられる又は複数長手方向に並設されてもよい。また、この凸部に代えて凹部（又は溝部）であってもよい。
【産業上の利用可能性】
【００５３】
本発明の毛用脱毛具、鼻毛用脱毛セット、及び鼻毛脱毛方法は、鼻毛を抜くのに好適である。多くの個人による利用が考えられる。
【符号の説明】
【００５４】
１０    鼻毛用脱毛具
１２    ワックス保持部
１２ａ  凸部
１４    挿入防止部
１６    支持部
２０    固形ワックス
２０ａ  ワックス
３０    貯湯容器
３２    湯煎用容器
３４    給湯線
１００  鼻毛用脱毛セット
【図１】
2017060708.tif 000003
【図２】
2017060708.tif 000004